(57)【要約】【課題】防振ゴムに充分な厚さ寸法をもたせることができて高い防振性能を確保でき、しかも、しっかりとした防振支承状態を形成できると共に、きれいな仕上がり状態にすることができる、便器の防振支承構造等を提供する。【解決手段】左右のフレーム４，４を有する架台５が備えられ、各フレーム４には、第１防振ゴム６と側部支承部７とが備えられ、第１防振ゴム６はフレーム４の下部側に備えられ、側部支承部７は第１防振ゴム６の下面高さ位置よりも上方の高さ位置において外方に張り出すよう備えられ、第１防振ゴム６の上端面高さ位置は、側部支承部７の支承面の高さ位置よりも上方に設定され、便器２の左右の下端縁部下面を左右の側部支承部７に支承させ、各フレームの第１防振ゴム６を床面に当接させて、便器２の左右の下端縁部を防振支承している。【選択図】      図１
2009299271.tif 000002
【特許請求の範囲】
【請求項１】
左右方向に間隔をおいて前後方向に延ばされた左右のフレームを有する架台が備えられ、
該架台の各フレームには、第１防振ゴムと、便器の左右の下端縁部下面を支承する側部支承部とが備えられ、
第１防振ゴムは、フレームの下部側に備えられると共に、
側部支承部は、第１防振ゴムの下面高さ位置よりも上方の高さ位置において、外方に張り出すように備えられ、
第１防振ゴムの上端面高さ位置は、側部支承部の支承面の高さ位置よりも上方に設定され、
便器の左右の下端縁部下面を各フレームの側部支承部に支承させ、各フレームの第１防振ゴムを床面に当接させて、便器の左右の下端縁部を防振支承していることを特徴とする便器の防振支承構造。
【請求項２】
前記フレーム間の間隔寸法を変更できるようにする間隔寸法調整機構が備えられている請求項１に記載の便器の防振支承構造。
【請求項３】
前記第１防振ゴムが、各フレームに複数づつ設けられ、これら第１防振ゴムによって、前記各フレームの長さ方向において、第１防振ゴムの備えられている部分と備えられていない部分とが形成され、第１防振ゴムはフレームに沿う方向に移動させることができるようになされていて、フレームの長さ方向において第１防振ゴムの備えられている部分と備えられていない部分との分布状態を変更することができるようになされている請求項１又は２に記載の便器の防振支承構造。
【請求項４】
左右方向に間隔をおいて前後方向に延ばされた左右のフレームを有する架台と、
各フレームに備えられた第１防振ゴムと、
各フレームに備えられ、便器の左右の下端縁部下面を支承する側部支承部と、
が備えられ、
前記側部支承部は、第１防振ゴムの下面高さ位置よりも上方の高さ位置において、外方に張り出すように備えられると共に、第１防振ゴムの上端面高さ位置は、側部支承部の支承面の高さ位置よりも上方に設定され、
便器の左右の下端縁部下面を各フレームの側部支承部に支承させ、各フレームの第１防振ゴムを床面に当接させて、便器の左右の下端縁部を防振支承するようになされていることを特徴とする便器防振支承装置。
【請求項５】
便器の前部と後部とを第２防振ゴムを介して床面に連結して床面に防振状態に取り付ける前後の便器取付け部材と、前後の便器取付け部材を架台に連結する連結材とが備えられている請求項４に記載の便器防振支承装置。
【請求項６】
前記フレーム間の間隔寸法を変更できるようにする間隔寸法調整機構が備えられていると共に、
前記連結材が、可撓材からなり、該可撓材の可撓性を利用して各便器取付け部材と架台との相対位置関係を変更することができるようになされている請求項４に記載の便器防振支承装置。
【発明の詳細な説明】
【技術分野】
【０００１】
本発明は、便器の防振支承構造及び便器防振支承装置に関する。
【背景技術】
【０００２】
便器から床面を伝って階下や隣室に伝わる固体音の伝搬を抑制するため、従来より、便器の下端縁部にひも状のゴムを被着して防振支承するようにしたものがあるが、ゴムの厚さ寸法を大きくすることができず、充分な防振性能を確保することができないという問題がある。
【特許文献１】特開２００３−１４７８４３号公報
【発明の開示】
【発明が解決しようとする課題】
【０００３】
本発明は、上記のような問題点に鑑み、防振ゴムに充分な厚さ寸法をもたせることができて高い防振性能を確保することができ、しかも、しっかりとした防振支承状態を形成することができると共に、きれいな仕上がり状態にすることができる、便器の防振支承構造及び便器防振支承装置を提供することを課題とする。
【課題を解決するための手段】
【０００４】
上記の課題は、左右方向に間隔をおいて前後方向に延ばされた左右のフレームを有する架台が備えられ、
該架台の各フレームには、第１防振ゴムと、便器の左右の下端縁部下面を支承する側部支承部とが備えられ、
第１防振ゴムは、フレームの下部側に備えられると共に、
側部支承部は、第１防振ゴムの下面高さ位置よりも上方の高さ位置において、外方に張り出すように備えられ、
第１防振ゴムの上端面高さ位置は、側部支承部の支承面の高さ位置よりも上方に設定され、
便器の左右の下端縁部下面を各フレームの側部支承部に支承させ、各フレームの第１防振ゴムを床面に当接させて、便器の左右の下端縁部を防振支承していることを特徴とする便器の防振支承構造によって解決される（第１発明）。
【０００５】
また、左右方向に間隔をおいて前後方向に延ばされた左右のフレームを有する架台と、
各フレームに備えられた第１防振ゴムと、
各フレームに備えられ、便器の左右の下端縁部下面を支承する側部支承部と、
が備えられ、
前記側部支承部は、第１防振ゴムの下面高さ位置よりも上方の高さ位置において、外方に張り出すように備えられると共に、第１防振ゴムの上端面高さ位置は、側部支承部の支承面の高さ位置よりも上方に設定され、
便器の左右の下端縁部下面を各フレームの側部支承部に支承させ、各フレームの第１防振ゴムを床面に当接させて、便器の左右の下端縁部を防振支承するようになされていることを特徴とする便器防振支承装置によって解決される（第２発明）。
【０００６】
これら便器の防振支承構造及び便器防振支承装置では、第１防振ゴムの上端面高さ位置が、側部支承部の支承面の高さ位置、即ち、便器の下端縁部下面の高さ位置よりも上方に設定されているので、第１防振ゴムに充分な厚さ寸法をもたせることができて高い防振性能を確保することができる。
【０００７】
しかも、第１防振材は、架台のフレームの下部側に備えられて、架台のフレームを支承するようにしているので、安定の良いしっかりとした防振支承状態を形成することができる。
【０００８】
加えて、側部支承部は、外方に張り出すように備えられているので、第１防振ゴムや架台は便器の下方に隠され、きれいな仕上がり状態にすることができる。
【０００９】
第１，第２発明において、前記フレーム間の間隔寸法を変更できるようにする間隔寸法調整機構が備えられているとよい（第３発明）。この場合は、便器の左右方向の寸法が公差などにより便器ごとに異なっていても、間隔寸法調整機構によって、フレーム間の間隔寸法を変更することにより、左右方向の寸法の異なる種々の便器に適用することができて、汎用性を高めることができる。
【００１０】
第１〜第３発明において、前記第１防振ゴムが、各フレームに複数づつ設けられ、これら第１防振ゴムによって、前記各フレームの長さ方向において、第１防振ゴムの備えられている部分と備えられていない部分とが形成され、第１防振ゴムはフレームに沿う方向に移動させることができるようになされていて、フレームの長さ方向において第１防振ゴムの備えられている部分と備えられていない部分との分布状態を変更することができるようになされているとよい（第４発明）。
【００１１】
この場合は、例えば、後部にタンクが備えられている便器や、備えられていない便器など、重心位置が異なる各種の便器に対して、第１防振ゴムの位置を変更することで、バランスの良い防振支承状態を形成することができると共に、それを、第１防振ゴムを移動するだけで実現することができる。
【００１２】
第２発明において、便器の前部と後部とを第２防振ゴムを介して床面に連結して床面に防振状態に取り付ける前後の便器取付け部材と、前後の便器取付け部材を架台に連結する連結材とが備えられているとよい（第５発明）。この場合は、前後の便器取付け部材と架台とが連結材で連結されているので、便器の取付けを施工容易に行っていくことができる。
【００１３】
第５発明において、前記フレーム間の間隔寸法を変更できるようにする間隔寸法調整機構が備えられていると共に、
前記連結材が、可撓材からなり、該可撓材の可撓性を利用して各便器取付け部材と架台との相対位置関係を変更することができるようになされているとよい（第６発明）。
【００１４】
この場合は、便器の左右方向の寸法や前後方向の寸法が公差などにより便器ごとに異なっていても、間隔寸法調整機構と可撓材とによって、フレーム間の間隔寸法を変更し、前後の便器取付け部材と架台との相対位置関係を変更することによって、左右方向及び前後方向に寸法の異なる種々の便器に適用することができて、汎用性を高めることができる。
【発明の効果】
【００１５】
本発明は、以上のとおりのものであるから、防振ゴムに充分な厚さ寸法をもたせることができて高い防振性能を確保することができ、しかも、しっかりとした防振支承状態を形成することができると共に、きれいな仕上がり状態にすることができる。
【発明を実施するための最良の形態】
【００１６】
次に、本発明の実施最良形態を図面に基づいて説明する。
【００１７】
図１に示す実施形態の便器防振支承構造において、１は床面、２は大便用の便器、３は便器防振支承装置である。
【００１８】
便器防振支承装置３は、左右方向に間隔をおいて前後方向に延ばされた左右のフレーム４，４を有する架台５を備え、各フレーム４は、下向き開放のリップ付き溝形材からなり、各フレーム４には、第１防振ゴム６と、便器２の左右の下端縁部下面を支承する側部支承部７とが備えられている。
【００１９】
第１防振ゴム６は、図２（イ）（ロ）に示すように、フレーム４の下部側に備えられていると共に、側部支承部７は、フレーム４に沿うようにして取り付けられたＺ形断面の長物材８の水平な外方張り出し部からなっていて、第１防振ゴム６の下面高さ位置よりも上方の高さ位置に備えられ、そして、第１防振ゴム６の上端面が、側部支承部７の支承面の高さ位置よりも上方に位置するようにつくられている。
【００２０】
本実施形態では、図１（イ）及び図２（イ）に示すように、架台５において、左右のフレーム４，４は、その長さ方向の中間部の前後二箇所の位置において、雄ネジ棒９ａとナット９ｂとによる間隔寸法調整機構９によって連結され、ナット９ｂを回転することにより、左右のフレーム４，４が接近又は離反をして、フレーム４，４間の間隔寸法を調整することができるようになされている。
【００２１】
また、第１防振ゴム６…は、図１（イ）に示すように、ピース物からなっていて、各フレーム４にその長さ方向に沿うようにして複数づつ備えられ、フレーム４の長さ方向において、第１防振ゴム６…の備えられている部分と備えられていない部分とが形成されるようになされていると共に、各第１防振ゴム６は、フレーム４に沿う方向に移動させることができるようになされていて、フレーム４の長さ方向において第１防振ゴム６…の備えられている部分と備えられていない部分との分布状態を変更することができるようになっている。
【００２２】
具体的には、各第１防振ゴム６は、図２（ロ）に示すように、その上面部に、フレーム４の溝内に突出する雄ネジ部６ａが立設されており、該雄ネジ部６ａに螺合されている上下のナット６ｂ，６ｂでフレーム４の左右のリップ部４ａを挟みこむことによりフレーム４に位置保持状態に取り付けられており、ナット６ｂ，６ｂを緩めることで、各第１防振ゴム６をフレーム４に沿って移動させることができると共に、更に、ナット６ｂ，６ｂの締め付け高さ位置を変更することにより、第１防振ゴム６の下面の高さ位置を上下方向に変更することができるようにもされている。
【００２３】
また、本実施形態の便器防振支承装置３には、便器２の前部と後部とを第２防振ゴム１０を介して床面１に連結して床面１に防振状態に取り付ける前後の便器取付け部材１１，１２，１２が備えられ、前側の便器取付け部材１１は、平面視半円状の板状などをした連結材としての可撓材１３によって、左右のフレーム４，４に連結され、後側の各便器取付け部材１２，１２は、１／４円状の板状などをした連結材としての可撓材１４，１４によって各フレーム４，４に連結され、図３（ハ）（ニ）に示すように、可撓材１３，１４，１４の可撓性を利用して各便器取付け部材１１，１２，１２と架台５との相対位置関係を変更することができるようになされている。
【００２４】
前側の便器取付け部材１１は、図３（ロ）に示すように、床面に取り付けられる床面側取付け部１５と、便器側に取り付けられる便器側取付け部１６と、これら取付け部１５，１６によって上下方向から挟まれるように設けられた第２防振ゴム部１０とを備え、床面側取付け部１５は、第２防振ゴム部１０よりも後方に張り出す部分１５ａを備え、図３（ホ）に示すように、該張り出し部１５ａに上方よりビス１７を打つことによって、床面１に固着状態に取り付けることができるようになされていると共に、便器２の正面側から便器２の壁を通じて便器側取付け部１６にビス１７を打つことによって、便器２に固着状態に取り付けることができるようになされている。
【００２５】
また、後側の各便器取付け部材１２は、図３（イ）に示すように、床面に取り付けられる床面側取付け部１８と、便器２側に取り付けられる軸部１９ａを上方突出状態に備えた便器側取付け部１９と、これら取付け部１８，１９によって上下方向から挟まれるように設けられた第２防振ゴム部１０とを備え、床面側取付け部１８は、第２防振ゴム部１０よりも内方に張り出す部分１８ａを備え、図３（ホ）に示すように、該張り出し部１８ａに上方よりビス１７を打つことによって、床面１に固着状態に取り付けることができるようになされていると共に、便器２の後部に備えられた孔２ａに軸部１９ａを通した状態にして便器２に固着状態に取り付けることができるようになされている。
【００２６】
便器２は、上記の便器防振支承装置３を用いて、例えば、次のようにして取り付けることができる。
【００２７】
即ち、図２（イ）に示すように、左右の側部支承部７，７に便器２の左右の下端縁部の下面を支承させることができるように、架台５の左右のフレーム４，４の間隔寸法を、ナット９ｂを回転して調整する。
【００２８】
併せて、図２（ロ）に示すように、左右の各第１防振ゴム６のすべての下面が床面１に当接するように、上下のナット６ｂ，６ｂによって調整し、また、便器が後部にタンクを支承するものである場合と、便器が後部にタンクを備えない場合などとの差異に応じて、防振支承のバランスを取るため、左右のフレーム４に沿う第１防振ゴム６…を移動してその分布状態を必要に応じて変更する。
【００２９】
併せて、前後の便器取付け部材１１，１２，１２を、可撓材１３，１４，１４の可撓性を利用して、設置しようとする便器２の前後方向の寸法に対応した床面１の所定の取付け位置に位置させて床面１に固定する。
【００３０】
そして、図１（ロ）に示すように、便器２を下ろして、便器防振支承装置３の左右の側部支承部７，７に便器２の左右の下端縁部の下面を支承させた状態にし、前後の便器取付け部材１１，１２，１２で便器２を固定する。
【００３１】
このように、上記の便器防振支承装置３及び便器防振支承構造によれば、第１防振ゴム６…の上端面高さ位置が、側部支承部７の支承面の高さ位置、即ち、便器２の下端縁部下面の高さ位置よりも上方に位置するようになされているので、各第１防振ゴム６に充分な厚さ寸法をもたせることができて高い防振性能を確保することができる。
【００３２】
しかも、第１防振ゴム６は、架台５のフレーム４の下部側に備えられて、架台５のフレーム４を支承するようにしているので、安定の良いしっかりとした防振支承状態を形成することができる。
【００３３】
加えて、側部支承部７は、外方に張り出すように備えられているので、第１防振ゴム６や架台５は便器２の下方に隠され、きれいな仕上がり状態にすることができる。
【００３４】
また、便器防振支承装置３には、フレーム４，４間の間隔寸法を調整する間隔寸法調整機構９が備えられると共に、可撓材１３，１４，１４で連結された前後の便器取付け部材１１，１２，１２が備えられ、また、第１防振ゴム６…がフレーム４に沿って移動させることができるようになされているので、便器の左右方向の寸法や前後方向の寸法が公差などにより便器ごとに異なっていても、便器の前後方向における重量バランスが便器毎に異なっていても、間隔寸法調整機構９と可撓材１３，１４，１４によって、フレーム間の間隔寸法を変更し、前後の便器取付け部材１１，１２，１２と架台５との相対位置関係を変更し、第１防振ゴム６…を移動することによって、左右方向及び前後方向に寸法が異なり、前後方向の重量バランスの異なる種々の便器に対して用いることができる。
【００３５】
以上に、本発明の実施形態を示したが、本発明はこれに限られるものではなく、発明思想を逸脱しない範囲で各種の変更が可能である。例えば、第１，第４発明では、フレーム４，４間の間隔寸法調整機構９や、第１防振ゴム６…の移動機構等は省略されてよいし、また、第１発明では、便器を床面に取り付ける構造部分についても、種々の取付け構造が採用されてよいし、第４発明では、便器を床面に取り付ける構造部分を便器防振支承装置から切り離して、便器防振支承装置からは省略されてもよい。
【図面の簡単な説明】
【００３６】
【図１】実施形態の便器の防振支承構造及び便器防振支承装置を示すもので、図（イ）は便器防振支承装置の平面図、図（ロ）は便器防振支承構造の断面正面図、図（ハ）は便器防振支承構造の断面側面図である。
【図２】図（イ）は、便器と便器防振支承装置とを分離状態にして示す断面正面図、図（ロ）は図（イ）の要部拡大図である。
【図３】図（イ）は後側の便器取付け部材の斜視図、図（ロ）は前側の便器取付け部材の斜視図、図（ハ）及び図（ニ）はそれぞれ前側の便器取付け部材の取付け方法を示す平面図、図（ホ）は便器と便器防振支承装置とを分離状態にして示す断面側面図である。
【符号の説明】
【００３７】
１…床面
２…便器
３…便器防振支承装置
４…フレーム
５…架台
６…第１防振ゴム
７…側部支承部
９…間隔寸法調整機構
１０…第２防振ゴム
１１…前側の便器取付け部材
１２…後側の便器取付け部材
１３，１４…可撓材（連結材）
【図１】
2009299271.tif 000003
【図２】
2009299271.tif 000004
【図３】
2009299271.tif 000005